(57)【要約】【課題】簡易な構成により有効に破損防止を図り得る釣り用棒浮きを提供する。【解決手段】浮き本体１１の下端から脚１２が延出し、脚１２を介して道糸に繋がれる。浮き本体１１の下部が、浮き本体１１よりも高強度の材料で形成した部材１３により構成されると共に、部材１３の下端から脚１２を延出させる。【選択図】図１
0003158856.tif 000002
【実用新案登録請求の範囲】
【請求項１】
浮き本体の下端から脚が延出し、この脚を介して道糸に繋がれるようにした釣り用棒浮きであって、
前記浮き本体の下部が、該浮き本体よりも高強度の材料で形成した部材により構成されると共に、該部材の下端から前記脚を延出させたことを特徴とする釣り用棒浮き。
【請求項２】
前記浮き本体の下部は合成樹脂材料、又は少なくとも強度が該合成樹脂材料に相当する材料により形成されたことを特徴とする請求項１に記載の釣り用棒浮き。
【請求項３】
前記浮き本体とその下部を構成する脚付け根部とは凹凸状嵌合方式で結合し、前記浮き本体及び前記脚付け根部にそれぞれ形成された挿着孔に前記脚が挿入されることを特徴とする請求項１又は２に記載の釣り用棒浮き。
【請求項４】
前記浮き本体及び前記脚付け根部の嵌合部の外側に段部が有することを特徴とする請求項３に記載の釣り用棒浮き。
【考案の詳細な説明】
【技術分野】
【０００１】
本考案は浮き、特に浮き本体の下端から脚が延出し、この脚を介して道糸（ライン）に繋がれる釣り用棒浮きに関するものである。
【背景技術】
【０００２】
釣用浮きのうち特に棒浮きは、細い棒状を呈し、アタリに対して敏感である。そのため流れの速い河川等では、逆にアタリが分かり難くなるため基本的には適していない。そこで、主に流れの緩い釣り場で用いられるのが一般的である。なお、ヘラブナ釣り等で高価なものが用いられる場合もある。
【０００３】
ここで、図３は棒浮きを使った仕掛けの例を示している。この例では釣り竿１のグリップ１ａに搭載されたリール２から繰り出されるライン３の先端には、スイベル４を介してハリス５が接続される。ハリス５の先端には釣り針６が付けられる。ライン３の途中に繋がれる棒浮き１００の上下には浮き止め７や所謂、カラマン棒８等が付けられる。
【０００４】
図４（ａ）にも示すように棒浮き１００は、その浮き本体１０１の下端から脚１０２が延出し、この脚１０２を介してライン３に繋がれるようになっている。ここで、浮き本体１０１は典型的には木製であり、脚１０２は浮き本体１０１よりも硬質の合成樹脂製である。浮き本体１０１に形成された挿着孔に挿入された脚１０２は、接着剤等を用いて固定される。
【先行技術文献】
【特許文献】
【０００５】
【特許文献１】特開２００５−２７８６１２号公報
【考案の概要】
【考案が解決しようとする課題】
【０００６】
ところで、棒浮き１００の実使用において、アタリを感じたその瞬間に釣り竿１をしゃくることで魚の口に釣り針６を掛け、即ち"合わせ"を行う。この場合、強烈な合わせを入れると、図４（ｂ）の矢印Ａに示すように脚１０２がかなり湾曲もしくは曲がってしまうことがある。ここで図５（ａ）にも示すように、浮き本体１０１の脚付け根部１０１ａは薄肉になっており、上記のように合わせ時に脚１０２が湾曲すると破損し、あるいはその危険性がある。
【０００７】
そこで従来より、図５（ｂ）あるいは図６に示されるように脚付け根部１０１ａを中心にその付近に紐１０３を巻き付けることで、破損し易い部位の補強を行っていた。しかしながら、紐１０３の巻付けにはかなりの手間がかかり、このように簡単な方法で破損を防止するのは必ずしも容易でなかった。
【０００８】
なお、特許文献１には浮き本体に軸を貫通させ、その軸の下端に錘又はスイベルジョイントを取り付けたものが知られている。
【０００９】
本考案はかかる実情に鑑み、簡易な構成により有効に破損防止を図り得る釣り用棒浮きを提供することを目的とする。
【課題を解決するための手段】
【００１０】
本考案の釣り用棒浮きは、浮き本体の下端から脚が延出し、この脚を介して道糸に繋がれるようにした釣り用棒浮きであって、前記浮き本体の下部が、該浮き本体よりも高強度の材料で形成した部材により構成されると共に、該部材の下端から前記脚を延出させたことを特徴とする。
【００１１】
また、本考案による釣り用棒浮きにおいて、前記浮き本体の下部は合成樹脂材料、又は少なくとも強度が該合成樹脂材料に相当する材料により形成されたことを特徴とする。
また、本考案による釣り用棒浮きにおいて、前記浮き本体とその下部を構成する脚付け根部とは凹凸状嵌合方式で結合し、前記浮き本体及び前記脚付け根部にそれぞれ形成された挿着孔に前記脚が挿入されることを特徴とする。
また、本考案による釣り用棒浮きにおいて、前記浮き本体及び前記脚付け根部の嵌合部の外側に段部が有することを特徴とする。
【考案の効果】
【００１２】
本考案によれば、浮き本体の下部に高強度の脚付け根部を有し、この脚付け根部の下端から脚が延出する。脚が湾曲しても脚付け根部が破損する危険性はなく、剛性の極めて高い浮きを実現している。また、強度あるいは剛性確保のために従来のように、例えば破損し易い部位に紐を巻き付ける等の手間がかかる作業は必要ないため、製造もしくは製作を容易化することができる。
【図面の簡単な説明】
【００１３】
【図１】本考案の実施形態における棒浮きの要部構成を示すそれぞれ断面図である。
【図２】本考案の実施形態における棒浮きの嵌合構造の例を示す断面図である。
【図３】仕掛けの構成例を示す図である。
【図４】従来の棒浮きの構成例及び作用を示すそれぞれ要部断面図である。
【図５】従来の棒浮きの要部構成及び破損防止構造の例を示すそれぞれ要部断面図である。
【図６】従来の棒浮きの上記破損防止構造の例に係る断面図である。
【考案を実施するための形態】
【００１４】
以下、図面を参照して、本考案による釣り用棒浮きの好適な実施の形態を説明する。
図１は、この実施形態における棒浮き１０の要部構成を示している。棒浮き１０はその基本構成において、浮き本体１１の下端（より具体的には、後述する脚付け根部の周辺部位）から脚１２が延出し、この脚１２を介してライン３（図３参照）に繋がれるようになっている。また、浮き本体１１は典型的には木製であり、脚１２は浮き本体１１よりも硬質の合成樹脂製である。なお、浮き本体１１の形成材料として、合成樹脂あるいは金属等の場合もある。
【００１５】
浮き本体１１の下部は、合成樹脂材料により形成される。この合成樹脂材料は浮き本体１１よりも、少なくとも強度的に強いものが使用される。また、合成樹脂材料の他にステンレス鋼、アルミニウム、チタンあるいは鉄等の金属も使用可能である。かかる下部は脚付け根部１３として構成され、脚付け根部１３の下端から脚１２が延出する。この場合、脚付け根部１３の中心には脚１２を挿入するための挿着孔１３ａが形成され、また浮き本体１１には挿着孔１３ａと同心に、脚１２を挿入するための挿着孔１１ａが形成される。脚付け根部１３及び浮き本体１１のそれぞれ挿着孔１３ａ及び挿着孔１１ａに挿入された脚１２は、接着剤等を用いて固定される。
【００１６】
浮き本体１１とその下部の脚付け根部１３は、凹凸状嵌合方式で結合する。この場合、脚付け根部１３は嵌合部（筒状凸部）１３ｂを有すると共に、浮き本体１１には嵌合部１３ｂが嵌入するようにした嵌合部（筒状凹部）１１ｂが形成される。図１（ａ）に示した例では、これらの嵌合部１１ｂ及び嵌合部１３ｂの外側には段部１４が設定され、この段部１４を設けることで、嵌合部１１ｂ,１３ｂの外周側に比較的大きな半径方向の肉厚ｄが確保される。
【００１７】
なお、段部１４は必ずしも設ける必要はなく、即ち、図１（ｂ）のように嵌合させるようにしてもよい。いずれの場合も、嵌合部１１ｂ及び嵌合部１３ｂ同士は、接着剤等を用いて相互に結合固定される。
【００１８】
図２にも示したように浮き本体１１と脚付け根部１３は、典型的な凹凸嵌合構造で結合する。その他、図２の二点鎖線により示すように嵌合部１１ｂ,１３ｂは、例えば断面台形等とした凹凸状の嵌合構造であってもよい。更に、嵌合部１１ｂ,１３ｂの凹凸状態を上記とは逆の関係、即ち嵌合部１１ｂ側を凸に、また嵌合部１３ｂ側を凹とすることも可能である。
【００１９】
上記構成でなる棒浮き１０の実使用において、例えば既に説明した図３のような仕掛けに使用されるものとする。実際の釣りにて前述したように合わせを行うと、脚１２自体は湾曲するが、本考案の棒浮き１０では浮き本体１１の下部に高強度の脚付け根部１３を有し、この脚付け根部１３から脚１２が延出する構造となっている。このため、脚１２が湾曲しても脚付け根部１３が破損する危険性はなく、剛性の極めて高い浮きを実現している。
【００２０】
また、強度あるいは剛性確保のために従来のように、例えば破損し易い部位に紐を巻き付ける等の手間がかかる作業は必要ないため、製造もしくは製作を容易化する等の利点がある。更に、釣り最中の破損事故の低減により、釣りタイミングを失する等の不都合を回避し、高い釣果を期待できる。
【００２１】
上記の場合、浮き本体１１を構成する脚付け根部１３の比重は、浮き本体１１と同等であり、つまり下部側が重くなって棒浮き１０が自立するようなことはない。
【００２２】
以上、本発明を種々の実施形態と共に説明したが、本発明はこれらの実施形態にのみ限定されるものではなく、本発明の範囲内で変更等が可能である。
脚付け根部１３は典型的には合成樹脂材料に形成される例を説明したが、少なくとも強度及び比重が該合成樹脂材料に相当する部材により形成してもよい。
【符号の説明】
【００２３】
１  釣り竿
２  リール
３  ライン
４  スイベル
５  ハリス
６  釣り針
７  浮き止め
１０  棒浮き
１１  浮き本体
１２  脚
１３  脚付け根部
１４  段部
【図１】
0003158856.tif 000003
【図２】
0003158856.tif 000004
【図３】
0003158856.tif 000005
【図４】
0003158856.tif 000006
【図５】
0003158856.tif 000007
【図６】
0003158856.tif 000008
【手続補正書】
【提出日】平成22年2月16日(2010.2.16)
【手続補正１】
【補正対象書類名】実用新案登録請求の範囲
【補正対象項目名】請求項４
【補正方法】変更
【補正の内容】
【請求項４】
前記浮き本体及び前記脚付け根部の嵌合部の外側に段部を有することを特徴とする請求項３に記載の釣り用棒浮き。
【手続補正２】
【補正対象書類名】明細書
【補正対象項目名】００１１
【補正方法】変更
【補正の内容】
【００１１】
また、本考案による釣り用棒浮きにおいて、前記浮き本体の下部は合成樹脂材料、又は少なくとも強度が該合成樹脂材料に相当する材料により形成されたことを特徴とする。
また、本考案による釣り用棒浮きにおいて、前記浮き本体とその下部を構成する脚付け根部とは凹凸状嵌合方式で結合し、前記浮き本体及び前記脚付け根部にそれぞれ形成された挿着孔に前記脚が挿入されることを特徴とする。
また、本考案による釣り用棒浮きにおいて、前記浮き本体及び前記脚付け根部の嵌合部の外側に段部を有することを特徴とする。